(57)【特許請求の範囲】
【請求項１】
部品とパネルとを振動を吸収しながら固定する防振クリップであって、ピン状の雄部材と筒状の雌部材とキャップ状の振動吸収部材とから成り、雄部材は、雌部材の内部に差し込まれる軸部を有し、雌部材は、中央部が開口する円盤状フランジ部と、雄部材の軸部で外方へ拡開してパネル側の取付孔に係着する胴部とを有し、振動吸収部材は、雌部材の胴部外周に嵌着される筒状体を呈し、上部外周面側に環状フランジ部と環状膨出部とを形成して、当該環状フランジ部と環状膨出部の間に部品側の取付孔の孔縁を係止する環状凹溝を画成する一方、下部外周面側にパネル側の取付孔の孔縁に当接する環状段部を形成すると共に、該環状段部に雌部材が雄部材の軸部で拡開する位置よりも下方へ延長してパネル側の取付孔内に挿入される延長部を一体に連設して、雌部材と振動吸収部材の両フランジ部同士が当接するまで、振動吸収部材を雌部材の胴部外周に嵌着した後、部品側の取付孔内に押し込んで、上記環状凹溝内に当該取付孔の孔縁を係止させて、今度は、振動吸収部材から突出する雌部材の胴部をパネル側の取付孔内に当該取付孔の孔縁に上記環状段部が当接するまで挿入することを特徴とする防振クリップ。
【発明の詳細な説明】
【０００１】
本発明は、各種の板状部品と所定パネルとを振動を吸収しながら固定するために使用される防振クリップに関するものである。
【０００２】
【従来の技術】
例えば、自動車の車体パネル側にブラケット等の板状部品を固定する際に、一方に生じる機械的振動を他方に伝えることが好ましくないような場合には、通常は、板状部品とパネルと間に合成ゴム等で成形された振動吸収体を介在させて、当該振動吸収体の弾力性を利用して、上記の機械的振動を吸収している。
【０００３】
その防振固定構造の一例を示すと、図５に示す如く、パネルＰ側にスタッドボルトＢを立設し、部品３１側に振動吸収体３３を装着する切欠口付の取付孔３２を開設する一方、振動吸収体３３を円筒状体に成形して、該振動吸収体３３の内側に金属カラー３６を嵌入する貫通孔３４を形成すると共に、同外周面に上記取付孔３２の孔縁と係止する環状凹溝３５を形成する構成となっている。
【０００４】
そして、実際に、部品３１をパネルＰ側に固定する場合には、まず、振動吸収体３３をその環状凹溝３５を介して部品３１の取付孔３２内に横方向から装着した後、振動吸収体３３の貫通孔３４内に金属カラー３６を嵌入して、当該金属カラー３６内にスタッドボルトＢを挿入し、最後に、金属カラー３６から外方に突出するスタッドボルトＢの先端部をナット３７で締め付けることにより、振動吸収体３３を介在させた状態の下で、部品３１がパネルＰ側に一定の間隔をおいて固定されることとなる。
従って、斯る防振固定状態の下では、部品３１とパネルＰの間に振動吸収体３３が介在することとなるので、これにより、部品３１側又はパネルＰ側に生じる機械的な振動が他方に伝わることを防止できる訳である。
【０００５】
【発明が解決しようとする課題】
然し乍ら、従来の防振固定構造にあっては、確かに、部品３１とパネルＰの間に介在される振動吸収体３３の弾力性を利用することにより、機械的振動を効果的に吸収することは可能となるが、反面、この為には、使用部材の点数が多くなるばかりか、特に、振動吸収体３３を部品３１側に組み付ける場合には、振動吸収体３３を変形させながら、部品３１の取付孔３２内にその切欠口から無理矢理に押し込んで、取付孔３２の孔縁に振動吸収体３３の環状凹溝３５を係止させた後、振動吸収体３３の貫通孔３４内に締付量を規制する金属カラー３６を強制的に嵌入しなければならないので、その作業性が著しく低下してしまう大きな問題点を有していた。
しかも、この振動吸収体３３の部品３１側に対する組付作業が複数個所で要求されるような場合には、斯る作業性の問題点が一層顕著となる。
【０００６】
又、図示する従来構造とは逆に、パネル側にナットを溶接して、当該溶接ナットに金属カラー内の上方から挿入されたボルトの先端部を螺合する構造のものも存在するが、この場合には、上記の問題点に加えて、部品が比較的小さいと、ボルトの締め付け螺合時に、部品が共回りする恐れがあるので、更に、作業性が問題視されることとなる。
【０００７】
【課題を解決するための手段】
本発明は、斯る従来の防振固定構造が抱える課題を有効に解決するために開発されたもので、請求項１記載の発明は、部品とパネルとを振動を吸収しながら固定する防振クリップであって、ピン状の雄部材と筒状の雌部材とキャップ状の振動吸収部材とから成り、雄部材は、雌部材の内部に差し込まれる軸部を有し、雌部材は、中央部が開口する円盤状フランジ部と、雄部材の軸部で外方へ拡開してパネル側の取付孔に係着する胴部とを有し、振動吸収部材は、雌部材の胴部外周に嵌着される筒状体を呈し、上部外周面側に環状フランジ部と環状膨出部とを形成して、当該環状フランジ部と環状膨出部の間に部品側の取付孔の孔縁を係止する環状凹溝を画成する一方、下部外周面側にパネル側の取付孔の孔縁に当接する環状段部を形成すると共に、該環状段部に雌部材が雄部材の軸部で拡開する位置よりも下方へ延長してパネル側の取付孔内に挿入される延長部を一体に連設して、雌部材と振動吸収部材の両フランジ部同士が当接するまで、振動吸収部材を雌部材の胴部外周に嵌着した後、部品側の取付孔内に押し込んで、上記環状凹溝内に当該取付孔の孔縁を係止させて、今度は、振動吸収部材から突出する雌部材の胴部をパネル側の取付孔内に当該取付孔の孔縁に上記環状段部が当接するまで挿入する構成を採用した。
【０００８】
依って、本発明の防振クリップの下では、振動吸収部材を雌部材の胴部外周に嵌着すると同時に、雄部材の軸部を雌部材の内部に差し込んで、雄部材を雌部材に仮止めした後、部品側に予め開設されている取付孔内に押し込むと、環状空部から得られる変形を得て、振動吸収部材が当該取付孔内をスムーズに通過して、自身の環状凹溝内に取付孔の孔縁を係止するので、これにより、雄部材と雌部材と振動吸収部材とがワンタッチで部品側に取り付けられる。
【０００９】
そこで、斯る状態のまま、今度は、振動吸収部材から突出する雌部材の胴部をパネル側に予め開設されている取付孔内に当該取付孔の孔縁に環状段部が当接するまで挿入した後、雄部材の軸部を雌部材の内部に完全に差し込むと、雌部材の胴部が外方へ強制的に拡開するので、これにより、部品がパネル側に一定の間隔をおいて確実且つ容易に固定される。
【００１０】
又、この部品の固定状態にあっては、部品とパネルの間は勿論であるが、部品側の取付孔に対しては、振動吸収部材の環状フランジ部と環状凹溝と環状膨出部が介在し、パネル側の取付孔に対しては、振動吸収部材の環状段部と延長部が介在することとなるので、部品側又はパネル側に生じる機械的な振動が他方に伝わることを有効に防止できる。
【００１１】
【発明の実施の形態】
以下、本発明を図示する一実施の形態に基づいて詳述すれば、該実施の形態に係る防振クリップは、図１に示す如く、ピン状の雄部材１と筒状の雌部材１１とキャップ状の振動吸収部材２１とから成る。
【００１２】
そして、第一の雄部材１は、合成樹脂材料で成形されて、操作溝３を形成した拡大頭部２と、ネジ面５を形成して拡大頭部２から垂下する軸部４とを有し、第二の雌部材１１は、同じく、合成樹脂材料で成形されて、中央部が開口１３する円盤状フランジ部１２と、該フランジ部１２から垂下する閉環二叉状の胴部１４とを有し、特に、上記雄部材１の軸部４の差込孔を画する胴部１４の対向する中央内面には張出部１５を形成する構成となっている。
【００１３】
従って、雄部材１と雌部材１１の関係は、雄部材１の軸部４を雌部材１１の胴部１４内に途中まで差し込むと、両部材１・１１とを仮止め状態にセットでき、雄部材１の軸部４を胴部１４内に完全に差し込むと、閉環二叉状の胴部１４がその張出部１５を介して外方へ強制的に拡開することとなる。
【００１４】
第三の振動吸収部材２１は、合成ゴム等の弾性材料で成形されて、図２にも示す如く、上記雌部材１１の胴部１４の外周に嵌着できる円筒状体を呈し、その上端開口縁側の外周面に上記雌部材１１のフランジ部１２より若干大径な環状フランジ部２２を形成すると共に、該フランジ部２２の下位外周面に下向きの傾斜案内面２３ａを備える環状膨出部２３を形成して、当該環状フランジ部２２の下面と環状膨出部２３の上端縁の間に、部品側に予め開設されている取付孔の孔縁を係止する環状凹溝２４を画成する。
【００１５】
又、振動吸収部材２１の上部側壁内には、上方が開放されて上記環状膨出部２３の途中まで至る環状空部２５を形成すると共に、上記環状膨出部２３の下端縁を、パネル側に予め開設されている取付孔の孔縁に当接する環状段部２６として利用する構成となしている。但し、この環状段部２６に関しては、環状膨出部２３の下端縁を利用せずに、振動吸収部材２１の下部外周面に独立して形成することも実施に応じ任意である。
これに加えて、上記環状段部２６には、雌部材１１の胴部１４の拡開に支障を与えない範囲で下方へ延長する延長部２７を一体に連設する構成を併せて採用している。
【００１６】
依って、斯る構成の雄部材１と雌部材１１と振動吸収部材２１を用いて、板状部品Ｐ１をパネルＰ２側に固定する場合には、まず、両部材１１・２１のフランジ部１２・２２同士が当接するまで、振動吸収部材２１を雌部材１１の胴部１４の外周に嵌着すると同時に、雄部材１の軸部４をフランジ部１２の開口１３から雌部材１１の胴部１４内に差し込んで、雄部材１を雌部材１１に仮止めした後、部品Ｐ１側の取付孔Ｈ１内に押し込む。
【００１７】
すると、上記環状空部２５から得られる変形と、環状膨出部２３の傾斜案内面２３ａのガイド作用を得て、振動吸収部材２１が当該取付孔Ｈ１内を比較的スムーズに通過して、自身の環状凹溝２４内に取付孔Ｈ１の孔縁を係止するので、これにより、図３に示す如く、雄部材１と雌部材１１と振動吸収部材２１とが、ワンタッチで部品Ｐ１側に取り付けられる。
尚、この取り付け状態にあっては、図示する如く、振動吸収部材２１の環状フランジ部２２が取付孔Ｈ１の周面に直に接触して、雌部材１１側のフランジ部１２が当該周面に接触することを防止している。
【００１８】
そこで、斯る状態のまま、今度は、振動吸収部材２１から突出する雌部材１１の胴部１４をパネルＰ２側の取付孔Ｈ２内に当該取付孔Ｈ２の孔縁に上記した環状段部２６が当接するまで挿入した後、雄部材１の軸部４を雌部材１１の胴部１４内に完全に差し込むと、図４に示す如く、当該雄部材１の軸部４の差し込みと胴部１４の張出部１５の作用で、閉環二叉状を呈する胴部１４が外方へ強制的に拡開するので、これにより、部品Ｐ１がパネルＰ２側に一定の間隔をおいて確実且つ容易に固定される。
尚、この固定状態にあっては、振動吸収部材２１の延長部２７も取付孔Ｈ２内に挿入されて下方に臨んでいるので、当該延長部２７は胴部１４の拡開形状に応じて変形することとなる。
【００１９】
従って、本実施の形態の下では、従来の防振固定構造と比較すると、使用部材の点数の削減を図りながら、部品Ｐ１のパネルＰ２に対する固定作業が頗る容易となる大きな利点を有すると共に、その固定状態にあっては、部品Ｐ１とパネルＰ２の間は勿論であるが、部品Ｐ１側の取付孔Ｈ１に対しては、振動吸収部材２１の環状フランジ部２２と環状凹溝２４と環状膨出部２３が介在し、パネルＰ２側の取付孔Ｈ２に対しては、振動吸収部材２１の環状段部２６と延長部２７が介在することとなるので、部品Ｐ１側又はパネルＰ２側に生じる機械的な振動が他方に伝わることを確実に防止できることとなる。
【００２０】
尚、振動吸収部材２１の側壁内に形成された環状空部２５は、部品Ｐ１の取付孔Ｈ１に対する取り付けの手助けとなることに加えて、部品Ｐ１の固定状態にあっては、特に、横方向への振動を効果的に吸収する機能をも発揮できるので、それなりの存在意義を有するものではあるが、本発明の下では、必ず、存在しなければならないものではない。仮に、環状空部２５を形成しない場合には、振動吸収部材１２を単独で部品Ｐ１側の取付孔Ｈ１に先付けして、後から、雄部材１を仮止めしている雌部材１１の胴部１４を当該振動吸収部材２１の内部に嵌着しても、結果的には、部品Ｐ１側に対する上記と同様な取り付け状態が得られることとなる。
【００２１】
又、部品Ｐ１の固定状態を解除する必要が生じたような場合には、雄部材１の拡大頭部２に形成されている操作溝３内に工具の先端部（図示せず）を差し入れて、雄部材１の軸部４を所定方向に回転させれば、雌部材１１の胴部１４の拡開状態を即座に解けるので、後は、パネルＰ２の取付孔Ｈ２から雌部材１１の胴部１４を引き抜けば、これにより、部品Ｐ１をパネルＰ２から簡単に取り外すことも可能となる。
【００２２】
尚、上記の実施の形態においては、あくまでも、その一例としてのピン状の雄部材１と筒状の雌部材１１を図示したものであるが、本発明は、これに限定されるものではなく、同様な原理の下で、振動吸収部材２１を容易に嵌着して使用できるものであれば、その他の雄部材と雌部材とに変更できることは言うまでもない。
【００２３】
【発明の効果】
以上の如く、本発明に係る防振クリップは、上記構成の採用により、従来の防振固定構造とは異なり、使用部材の点数の削減を図りながら、部品のパネルに対する固定作業を大巾に簡略化することが可能となった。
その上、キャップ状を呈する振動吸収部材の使用は、その環状フランジ部や環状膨出部や環状凹溝や環状空部や環状段部や延長部等の相乗作用を得て、部品側又はパネル側に生じる機械的な振動が他方に伝わることを確実に防止することが可能となるので、防振効果の向上も期待できる。
又、部品側に開設される取付孔に関しても、従来の如き切欠口を有するものに限定されることがないので、部品自体の剛性のアップを図り、その使用範囲の拡大も期待できることとなる。
【図面の簡単な説明】
【図１】本発明の実施の形態に係る防振クリップを分解して示す斜視図である。
【図２】振動吸収部材を示す断面図である。
【図３】防振クリップを部品側に取り付けた状態を示す要部断面図である。
【図４】部品をパネルに固定した状態を示す要部断面図である。
【図５】従来の防振固定構造を分解して示す要部斜視図である。
【符号の説明】
１   雄部材
２   拡大頭部
４   軸部
１１  雌部材
１２  円盤状フランジ部
１３  フランジ部の開口
１４  胴部
２１  振動吸収部材
２２  環状フランジ部
２３  環状膨出部
２４  環状凹溝
２５  環状空部
２６  環状段部
２７  延長部
Ｐ１  部品
Ｈ１  部品の取付孔
Ｐ２  パネル
Ｈ２  パネルの取付孔
【図１】
0003748921.tif 000002
【図２】
0003748921.tif 000003
【図３】
0003748921.tif 000004
【図４】
0003748921.tif 000005
【図５】
0003748921.tif 000006